(57)【要約】【課題】前扉２００が筐体１００に対して所定の位置関係で能率良く取り付けられるようにする。【解決手段】手前側に開口部１０５を有する筐体１００に対してその開口部１０５を開閉可能に前扉２００が取り付けられる遊技機であって、筐体１００に対して取り付けられ、前扉２００の筐体１００に対する位置関係を定める前扉位置関係規定部材（軸支持部材１０Ａ，被係止部支持部材１０Ｂ）と、筐体１００の所定の位置に取り付けられる台２０と、前扉位置関係規定部材（軸支持部材１０Ａ，被係止部支持部材１０Ｂ）に対して取り付けられ、台２０に対する相対的位置が定められる相対的位置被規定部材５０ａ，５０ｂとを有する。【選択図】図２
2007307203.tif 000002
【特許請求の範囲】
【請求項１】
手前側に開口部を有する筐体に対してその開口部を開閉可能に前扉が取り付けられる遊技機であって、
前記筐体に対して取り付けられ、前記前扉の前記筐体に対する位置関係を定める前扉位置関係規定部材と、
前記筐体の所定の位置に取り付けられる筐体所定位置部材と、
前記前扉位置関係規定部材に対して取り付けられ、前記筐体所定位置部材に対する相対的位置が定められる相対的位置被規定部材と
を有する、遊技機。
【請求項２】
請求項１に記載の遊技機であって、
前記前扉位置関係規定部材は、前記前扉を前記筐体に対して回動可能に取り付けるために当該前扉及び当該筐体のうちのいずれかに各々設けられる筒状材及びその筒状材に対して相対的に回動可能に挿入される軸状材のうちのいずれかを有する部材である、
遊技機。
【請求項３】
請求項１に記載の遊技機であって、
前記前扉位置関係規定部材は、前記前扉を前記筐体に対して係止するために当該前扉及び当該筐体のうちのいずれかに各々設けられる被係止部材及びその被係止部材に対して係脱可能に係止する係止部材のうちのいずれかを有する部材である、
遊技機。
【請求項４】
請求項１〜請求項３のいずれかに記載の遊技機であって、
前記相対的位置被規定部材は、前記筐体の前記開口部の左右いずれかの縁部の近傍に配設されるものであり、前記筐体所定位置部材のうちの手前側の被当接部に当接する当接部と、前記筐体の左右いずれかの内壁面に対応する内壁面対応部とを有し、
前記筐体所定位置部材は、前記相対的位置被規定部材の上部に対応する上部対応部と、前記相対的位置被規定部材の下部に対応する下部対応部と、前記内壁面対応部とは相反する側の部分である内側部に対応する内側部対応部とを有するものである、
遊技機。
【発明の詳細な説明】
【技術分野】
【０００１】
本発明は、手前側に開口部を有する筐体に対してその開口部を開閉可能に前扉が取り付けられる遊技機に関するものである。
【背景技術】
【０００２】
回胴遊技機（スロットマシン）や弾球遊技機（パチンコ機等）等の遊技機の多くは、筐体及び前扉を有している。筐体は、手前側に開口部を有し、前扉は、その筐体に対して、その開口部を開閉可能に取り付けられる。
【０００３】
上述のような構造の遊技機の場合、前扉は、筐体に対して相対的に所定の位置関係で取り付けられる必要がある。
例えば、スロットマシンの場合、筐体の内部に複数（例えば３つ）のドラム（リールともいわれる）が左右方向に水平に延びる中心軸線を中心に回転可能に設けられている。各ドラムの周面には複数の図柄等が表示されている。前扉には、その複数のドラムに対応して、窓部が設けられている。
そして、前扉が筐体に対して所定の位置関係から外れた状態で取り付けられると、窓部とドラムとの位置関係がずれてしまい、見苦しい又は遊技者にとってドラムが見づらい等の障害が生ずる。
また、仮に、前扉が筐体に対して所定の位置関係で取り付けられたとしても、その取り付け作業の能率が悪いと、遊技機全体の製造の能率を向上させる上でネックとなる。
【０００４】
ところで、特許文献１には、ドラム（リールユニット）が筐体の所定の位置に取り付けられるようにしようとする技術が開示されている。
しかしながら、ドラムが筐体に対して所定の位置に取り付けられることを前提として、前扉は、筐体に対して所定の位置関係で能率良く取り付けられる必要がある。
【特許文献１】特開２００６−４３３１１公報
【発明の開示】
【発明が解決しようとする課題】
【０００５】
本発明は、前扉が筐体に対して所定の位置関係で能率良く取り付けられる遊技機を提供することを目的とする。
【課題を解決するための手段】
【０００６】
上記の目的を達成するために、請求項１に係る発明は、手前側に開口部を有する筐体に対してその開口部を開閉可能に前扉が取り付けられる遊技機であって、前記筐体に対して取り付けられ、前記前扉の前記筐体に対する位置関係を定める前扉位置関係規定部材と、前記筐体の所定の位置に取り付けられる筐体所定位置部材と、前記前扉位置関係規定部材に対して取り付けられ、前記筐体所定位置部材に対する相対的位置が定められる相対的位置被規定部材とを有する、遊技機である。
【０００７】
この発明の遊技機においては、前扉位置関係規定部材に対して相対的位置被規定部材が取り付けられ、その相対的位置被規定部材については、筐体の所定の位置に取り付けられた筐体所定位置部材に対する相対的位置が定められる。
このため、前扉位置関係規定部材は、相対的位置被規定部材及び筐体所定位置部材を介して、筐体の所定の位置に位置づけられ、その位置に取り付けられることとなる。
そして、その前扉位置関係規定部材によって、筐体に対する前扉の位置関係が定められる。
こうして、この発明の遊技機においては、前扉が筐体に対して能率的に所定の位置関係で取り付けられるのである。
【０００８】
請求項２に係る発明は、請求項１に係る発明の遊技機であって、前記前扉位置関係規定部材は、前記前扉を前記筐体に対して回動可能に取り付けるために当該前扉及び当該筐体のうちのいずれかに各々設けられる筒状材及びその筒状材に対して相対的に回動可能に挿入される軸状材のうちのいずれかを有する部材である、遊技機である。
【０００９】
この発明の遊技機では、請求項１に係る遊技機の作用効果がより具体的に得られる。
すなわち、前扉に筒状材及び軸状材のうちの一方が設けられ、筐体にはそれらのうちの他方が設けられ、軸状材は筒状材に対して相対的に回動可能に挿入される。
そして、前扉位置関係規定部材は、その軸状材及び筒状材のうちのいずれかを有する。
このため、この発明の遊技機では、その前扉位置関係規定部材によって、前扉の回動中心部分が、筐体に対して、所定の位置関係で取り付けられることとなる。
【００１０】
請求項３に係る発明は、請求項１に係る発明の遊技機であって、前記前扉位置関係規定部材は、前記前扉を前記筐体に対して係止するために当該前扉及び当該筐体のうちのいずれかに各々設けられる被係止部材及びその被係止部材に対して係脱可能に係止する係止部材のうちのいずれかを有する部材である、遊技機である。
【００１１】
この発明の遊技機では、請求項１に係る遊技機の作用効果がより具体的に得られる。
すなわち、前扉に被係止部材及び係止部材のうちの一方が設けられ、筐体にはそれらのうちの他方が設けられ、係止部材は被係止部材に対して係脱可能に係止する。
そして、前扉位置関係規定部材は、その係止部材及び被係止部材のうちのいずれかを有する。
このため、この発明の遊技機では、その前扉位置関係規定部材によって、前扉の開閉端の部分が、筐体に対して、所定の位置関係で取り付けられることとなる。
【００１２】
請求項４に係る発明は、請求項１〜請求項３のいずれかに係る発明の遊技機であって、前記相対的位置被規定部材は、前記筐体の前記開口部の左右いずれかの縁部の近傍に配設されるものであり、前記筐体所定位置部材のうちの手前側の被当接部に当接する当接部と、前記筐体の左右いずれかの内壁面に対応する内壁面対応部とを有し、前記筐体所定位置部材は、前記相対的位置被規定部材の上部に対応する上部対応部と、前記相対的位置被規定部材の下部に対応する下部対応部と、前記内壁面対応部とは相反する側の部分である内側部に対応する内側部対応部とを有するものである、遊技機である。
【００１３】
この発明の遊技機では、請求項１〜請求項３のいずれかに係る遊技機の作用効果がより具体的に得られる。
すなわち、筐体所定位置部材の上部対応部が相対的位置被規定部材の上部に対応し、筐体所定位置部材の下部対応部が相対的位置被規定部材の下部に対応し、筐体所定位置部材の内側部対応部が相対的位置被規定部材の内側部に対応し、相対的位置被規定部材の内壁面対応部が筐体の左右いずれかの内壁面に対応し、相対的位置被規定部材の当接部が筐体所定位置部材の被当接部に対して当接する。
こうして、相対的位置被規定部材については、筐体所定位置部材及び筐体（それらの各部位）によって、筐体所定位置部材に対する相対的位置が定められる。
そして、請求項１〜請求項３のいずれかに係る遊技機の効果が確実に得られる。
【発明の効果】
【００１４】
以上のように、本発明の遊技機では、前扉が、筐体に対して、所定の位置関係で能率良く取り付けられる。
【発明を実施するための最良の形態】
【００１５】
次に、本発明の一実施形態について、図面に基づいて説明する。
図１に示すように、このスロットマシン（回胴遊技機）は、筐体１００及び前扉２００を有している。
筐体１００は、手前側に開口部１０５を有している。筐体１００の内部には、次のように各種の部品が取り付けられている。
筐体１００の内部のほぼ中央高さ部分には、台２０が設けられている。台２０は水平な板状をなしており、筐体１００の左右の内壁面１０１ａ，１０１ｂ間にわたって及んでいる。台２０は、筐体１００の内部における所定の位置に取り付けられている。台２０が、本発明の筐体所定位置部材に該当する。
【００１６】
台２０の上には、ドラムユニット１１０が設置されている。ドラムユニット１１０は、３つのドラム１２０ａ，１２０ｂ，１２０ｃを有している。各ドラム１２０ａ，１２０ｂ，１２０ｃは、左右方向に延びる水平な共通の中心軸線を中心に回転可能である。
前扉２００には、窓部２２０が設けられている。窓部２２０は、ドラムユニット１１０（ドラム１２０ａ，１２０ｂ，１２０ｃ）に対応している。
【００１７】
前扉２００は、筐体１００に対して、次のように、開口部１０５を開閉可能に（すなわち、閉位置と開位置との間を変位可能に）取り付けられる。
図２に示すように、筐体１００の開口部１０５の左側の縁部の近傍には、軸支持部材１０Ａ（図４も参照）が取り付けられる。軸支持部材１０Ａが、本発明の前扉位置関係規定部材の１つに該当する。
軸支持部材１０Ａは、筐体１００の開口部１０５の下端部から上端部まで及ぶ細長い帯板状をしている。軸支持部材１０Ａには、上下一対の軸１２Ａ（軸状材）が形成されている。
【００１８】
前扉２００の左側（前扉２００が閉位置に位置する状態における左側。以下同様）の縁部には、上下一対の円筒２１０Ａ（筒状材）が設けられている。各円筒２１０Ａは、各軸１２Ａに対応している。そして、各軸１２Ａが各円筒２１０Ａに対して相対的回動可能に挿入される。
こうして、前扉２００は筐体１００に対して開閉可能に取り付けられる。
【００１９】
また、同じく図２に示すように、筐体１００の開口部１０５の右側の縁部の近傍には、被係止部支持部材１０Ｂ（図５も参照）が取り付けられる。被係止部支持部材１０Ｂが、本発明の前扉位置関係規定部材の他の１つに該当する。
被係止部支持部材１０Ｂは、筐体１００の開口部１０５の下端部から上端部まで及ぶ細長い帯板状をしている。
被係止部支持部材１０Ｂには、上下一対の被係止部１２Ｂ（被係止部材）が形成されている。各被係止部１２Ｂは、左右方向にかつほぼ鉛直方向（被係止部支持部材１０Ｂの長さ方向）に延びる小片状をしている。
【００２０】
前扉２００の右側の縁部には、上下一対の係止部材２１０Ｂが設けられている。各係止部材２１０Ｂは、各被係止部１２Ｂに対応している。各係止部材２１０Ｂは、回動軸（符号省略）を中心に、非係止位置と係止位置との間を揺動可能である。
そして、前扉２００が閉位置に位置し、各係止部材２１０Ｂが係止位置に位置する状態で、前扉２００は筐体１００に対して施錠される。各係止部材２１０Ｂが非係止位置に位置することによって、筐体１００に対して前扉２００が解錠される。
【００２１】
図３，図７，図８に示すように、台２０は、ほぼ水平な平板状をしている。台２０の左右の縁部には、鉛直下方に折り曲げられた被取付部２１ａ，２１ｂが形成されており、各被取付部２１ａ，２１ｂにおいて筐体１００の左右の各内壁面１０１ａ，１０１ｂに対して取り付けられる。台２０の奥側の縁部には、鉛直上方に折り曲げられた被取付部２２が形成されており、被取付部２２において筐体１００の奥面１０２に対して取り付けられる。
【００２２】
台２０の手前側の部分は被当接部２３とされている。被当接部２３は鉛直下方に短く延びている。
台２０の左右の各縁部（正確にはその近傍）には位置規定部３０ａ，３０ｂが形成されている。
図２，図７，図８に示すように、軸支持部材１０Ａ及び被係止部支持部材１０Ｂには、各々、各位置規定部３０ａ，３０ｂ等に対応して、相対的位置被規定部材５０ａ，５０ｂが固定される。
【００２３】
左右一対の相対的位置被規定部材５０ａ，５０ｂは対称的な構造を有しているため、左側の相対的位置被規定部材５０ａを中心に説明する。
図４〜図８に示すように、相対的位置被規定部材５０ａは、全体として、直方体状の一部が欠落された形状を有している。
図６に示すように、相対的位置被規定部材５０ａは、２つの凸部５８及び１つの孔部５９を有している。図４（ａ）に示すように、軸支持部材１０Ａには、各相対的位置被規定部材５０ａ（２つの凸部５８及び１つの孔部５９）に対応して、３つの孔部１８，１９が形成されている。
そして、各凸部５８が各孔部１８に嵌合され、ビス１７が孔部１９を通って孔部５９に対して螺合されることによって、図４（ｂ）に示すように、相対的位置被規定部材５０ａは、軸支持部材１０Ａに対して固定される。
【００２４】
図６に示すように、相対的位置被規定部材５０ａは、前述したように、直方体状の一部が欠落された形状を有しており、手前側のベース部５１及び奥方向延出部５２を有している。
図６及び図７に示すように、奥方向延出部５２は、ベース部５１のうちの左側の部分から、筐体１００の奥方向に延びている。
【００２５】
ベース部５１のうちの筐体１００の内壁面１０１ａとは反対側の部分（奥方向延出部５２が形成されていない部分）における奥側の端部には、当接部５３が形成されている。
当接部５３は、相対的位置被規定部材５０ａ全体における奥行方向のほぼ中央長さ部分において、左右方向に短く延びる鉛直面状をしている。
図７（ｂ）に示すように、相対的位置被規定部材５０ａと（ひいては軸支持部材１０Ａと）台２０とが（ひいては筐体１００とが）所定の位置関係にある状態（このことを以下、所定位置関係状態ということとする）において、当接部５３（図６，図７（ａ））は、台２０の被当接部２３に対して当接する。
【００２６】
図６に示すように、相対的位置被規定部材５０ａ（ベース部５１及び奥方向延出部５２）のうち左側の部分は内壁面対応部５４である。内壁面対応部５４は、筐体１００（図７）の奥行方向に延びる鉛直平面状をしている。
図６及び図７に示すように、所定位置関係状態において、内壁面対応部５４は、筐体１００の左側の内壁面１０１ａと接触又は近接する。
【００２７】
図５に示すように、右側の相対的位置被規定部材５０ｂも、左側の相対的位置被規定部材５０ａ（図４，図６）と左右対称的な構造を有しており（このことは前述）、右側の相対的位置被規定部材５０ｂは、被係止部支持部材１０Ｂに対して固定される。
【００２８】
図３に示すように、台２０の左右の各位置規定部３０ａ，３０ｂは、次のような構造を有している。
左右の各位置規定部３０ａ，３０ｂは対称的な構造を有しているため、左側の位置規定部３０ａについて説明する。
位置規定部３０ａは、内側部対応部３７，下面対応部３６（下部対応部），上面対応部３５（上部対応部）を有している。
【００２９】
内側部対応部３７は、台２０の左側の縁部の近傍においてほぼ鉛直下方に折り曲げられて形成されている。内側部対応部３７は、筐体１００（図７参照）の奥行方向に延び、かつ、ほぼ鉛直下方に短く延びている。
【００３０】
図３に示すように、下面対応部３６は、内側部対応部３７の下端部においては、左方向にほぼ水平に折り曲げられて形成されている。下面対応部３６は、筐体１００（図７参照）の奥行方向に延び、かつ、ほぼ水平に短く延びている。下面対応部３６の左側の縁部には、前述の被取付部２１ａが形成されている。
【００３１】
図３に示すように、上面対応部３５は、台２０の左側の縁部の近傍においてほぼ鉛直下方には折り曲げられることはなく、内側部対応部３７よりも左側にほぼ水平に延びている。
【００３２】
そして、図７に示すように、上面対応部３５は、相対的位置被規定部材５０ａ（奥方向延出部５２）のほぼ水平な上面５５（上部）に対応する。すなわち、所定位置関係状態において、相対的位置被規定部材５０ａの上面５５は、上面対応部３５と接触又は近接する。
同様に、下面対応部３６は、相対的位置被規定部材５０ａ（奥方向延出部５２）のほぼ水平な下面５６（下部）に対応する。すなわち、所定位置関係状態において、相対的位置被規定部材５０ａの下面５６は、下面対応部３６と接触又は近接する。
内側部対応部３７は、相対的位置被規定部材５０ａの奥方向延出部５２の内壁面対応部５４とは相反する側の部分である内側部５７に対応する。すなわち、所定位置関係状態において、相対的位置被規定部材５０ａの内側部５７は、内側部対応部３７と接触又は近接する。
【００３３】
次に、この遊技機の作用効果について説明する。
まず、図４に基づいて前述したように、軸支持部材１０Ａに相対的位置被規定部材５０ａが固定される。
そして、図７に示すように、相対的位置被規定部材５０ａが台２０に対して前述した所定位置関係状態となるようにして、軸支持部材１０Ａが筐体１００（その内壁面１０１ａ）に対して固定される。
すなわち、図３，図６，図７に示すように、台２０（位置規定部３０ａ）の上面対応部３５が相対的位置被規定部材５０ａの奥方向延出部５２の上面５５に対応（接触又は近接）し、台２０（位置規定部３０ａ）の下面対応部３６が相対的位置被規定部材５０ａの奥方向延出部５２の下面５６に対応（接触又は近接）し、台２０（位置規定部３０ａ）の内側部対応部３７が相対的位置被規定部材５０ａの内側部５７に対応（接触又は近接）し、相対的位置被規定部材５０ａの内壁面対応部５４が内壁面１０１ａに対応（接触又は近接）する状態で、相対的位置被規定部材５０ａ（奥方向延出部５２）が、台２０及び筐体１００に対して配設される。
すなわち、奥方向延出部５２は、台２０（位置規定部３０ａ）の上面対応部３５，下面対応部３６，内側部対応部３７及び筐体１００の内壁面１０１ａによって形成される四角筒状の被挿入部（符号省略）に対して挿入されるようにして配設される。
そして、相対的位置被規定部材５０ａの当接部５３が、台２０の被当接部２３に対して当接するようにされる。
【００３４】
以上のようにして、相対的位置被規定部材５０ａは、台２０及び筐体１００の内壁面１０１ａの各部位によって、左右方向，上下方向，奥行方向のすべての方向における位置（台２０に対する相対的位置）が定められる
ここで、前述したように、台２０は、筐体１００における所定の位置に取り付けられている。
このため、軸支持部材１０Ａが、筐体１００に対して、所定の位置に位置づけられる。そして、その状態で、軸支持部材１０Ａは、ビス（図示省略）によって、筐体１００に対して取り付けられる。
このようにして、軸支持部材１０Ａが（ひいては軸１２Ａが）、筐体１００の所定の位置に取り付けられ、前扉２００（その回動中心部分）が、筐体１００に対して所定の位置関係で取り付けられることとなる。
【００３５】
また、以上と同様にして、図８に示すように、被係止部支持部材１０Ｂが（ひいては被係止部１２Ｂが）筐体１００の所定の位置に取り付けられる。
そして、その点でも、前扉２００（その開閉端の部分）が、筐体１００に対して所定の位置関係で取り付けられることとなる。
【００３６】
以上のようにして、この遊技機では、前扉２００が、筐体１００に対して、所定の位置関係で能率良く取り付けられるのである。
【００３７】
なお、上記のものはあくまで本発明の一実施形態にすぎず、当業者の知識に基づいて種々の変更を加えた態様で本発明を実施できることはもちろんである。
【００３８】
例えば、相対的位置被規定部材は、筐体に対して、左右方向（その両方向），高さ方向（その両方向），奥行方向（その両方向）のすべての相対的位置が定められるものに限らず、いずれかの方向については相対的位置が定められないものであってもよい。その場合は、作業員自身が、筐体に対して、相対的位置被規定部材のその方向における相対的位置を定めることとなる。
【００３９】
また、筐体（１００）の側に円筒（２１０Ａ）が設けられ、前扉（２００）に軸（１２Ａ）が設けられてもよい。その場合は、軸支持部材１０Ａが円筒支持部材に置き換えられる。
同様に、筐体（１００）の側に係止部材（２１０Ｂ）が設けられ、前扉（２００）に被係止部（１２Ｂ）が設けられてもよい。その場合は、被係止支持部材１０Ｂが係止部支持部材に置き換えられる。
【図面の簡単な説明】
【００４０】
【図１】本発明の一実施形態の遊技機を示す斜視図である。（ａ）は前扉が閉位置に位置する状態を示し、（ｂ）は前扉が開位置に位置する状態を示す。
【図２】本発明の一実施形態の遊技機を示す分解斜視図である。（ａ）及び（ｂ）では、筐体等を見る向きが異なる。
【図３】本発明の一実施形態の遊技機のうちの台を示す斜視図である。（ａ）は斜め上方から見た図であり、（ｂ）は斜め下方から見た図である。
【図４】本発明の一実施形態の遊技機のうちの軸支持部材及び相対的位置被規定部材を示す斜視図である。（ａ）は軸支持部材に対する相対的位置被規定部材の取り付け前の状態を示し、（ｂ）は取り付け後の状態を示す。
【図５】本発明の一実施形態の遊技機のうちの被係止部支持部材及び相対的位置被規定部材を示す斜視図である。（ａ）は被係止部支持部材に対する相対的位置被規定部材の取り付け前の状態を示し、（ｂ）は取り付け後の状態を示す。
【図６】本発明の一実施形態の遊技機のうちの相対的位置被規定部材を示す斜視図である。（ａ）〜（ｃ）では相対的位置被規定部材を見る向きが異なる。
【図７】本発明の一実施形態の遊技機のうちの筐体及び軸支持部材等を示す斜視図である。（ａ）は筐体に対する軸支持部材等の取り付け前の状態を示し、（ｂ）は取り付け後の状態を示す。
【図８】本発明の一実施形態の遊技機のうちの筐体及び被係止部支持部材を示す斜視図である。（ａ）は筐体に対する軸支持部材等の取り付け前の状態を示し、（ｂ）は取り付け後の状態を示す。
【符号の説明】
【００４１】
１０Ａ  軸支持部材（前扉位置関係規定部材）
１０Ｂ  被係止部支持部材（前扉位置関係規定部材）
１２Ａ  軸（軸状材）
１２Ｂ  被係止部（被係止部材）
２０  台（筐体所定位置部材）
５０ａ，５０ｂ  相対的位置被規定部材
１００  筐体
１０１ａ，１０１ｂ  内壁面
１０５  開口部
２００  前扉
２１０Ａ  円筒（筒状材）
２１０Ｂ  係止部材
【図１】
2007307203.tif 000003
【図２】
2007307203.tif 000004
【図３】
2007307203.tif 000005
【図４】
2007307203.tif 000006
【図５】
2007307203.tif 000007
【図６】
2007307203.tif 000008
【図７】
2007307203.tif 000009
【図８】
2007307203.tif 000010